(57)【要約】【課題】薄型かつ放熱性に優れた照明装置を提供する。【解決手段】  発光部と、発光部に電力を供給する電源回路と、発光部と電源回路とを収容する筐体と、造営材の一面に設置される取付部材とを備える照明装置であって、電源回路は、発光部に対して、造営材の一面に沿った方向に配置され、筐体と取付部材とは、発光部と電源回路との間の領域で熱的に接続されている。【選択図】図４
2014149946.tif 000002
【特許請求の範囲】
【請求項１】
発光部と、当該発光部に電力を供給する電源回路と、前記発光部と前記電源回路とを収容する筐体と、造営材の一面に設置される取付部材とを備える照明装置であって、
前記電源回路は、前記発光部に対して、前記造営材の一面に沿った方向に配置され、前記筐体と前記取付部材とは、前記発光部と前記電源回路との間の領域で熱的に接続されている
ことを特徴とする照明装置。
【請求項２】
前記筐体は、
有底筒状であり、底壁の一部に開口部が形成されている主部と、
前記開口部の周縁に連続し、前記造営材側に没入している窪み部とを有し、
前記窪み部の内に、前記発光部が配置され、
前記主部と前記窪み部の側壁とで囲まれた領域に、前記電源回路が配置されている
ことを特徴とする請求項１に記載の照明装置。
【請求項３】
前記取付部材に前記筐体を締結する締結部材をさらに備え、
前記筐体と前記取付部材との熱的な接続は、前記締結部材を介して実現されている
ことを特徴とする請求項２に記載の照明装置。
【請求項４】
前記締結部材は、螺子であり、
前記窪み部には、前記螺子を挿通するための挿通孔が設けられている
ことを特徴とする請求項３に記載の照明装置。
【請求項５】
前記螺子の頭部は、前記筐体と前記取付部材とが締結された状態において、前記発光部の照射面より低い位置にある
ことを特徴とする請求項４に記載の照明装置。
【請求項６】
前記取付部材は板状であり、その一部が前記造営材とは反対側に突出した突出部を有し、
前記突出部には、前記螺子を螺合するための雌螺子部が設けられている
ことを特徴とする請求項４に記載の照明装置。
【請求項７】
前記窪み部は、前記造営材とは反対側に向かって径が漸増している
ことを特徴とする請求項２に記載の照明装置。
【請求項８】
前記取付部材の外周縁には、延出片が設けられており、
前記主部の側壁には、上記延出片に嵌合する溝部が設けられている
ことを特徴とする請求項３に記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を光源として備える照明装置に関する。
【背景技術】
【０００２】
ＬＥＤ等の発光素子を光源として備える照明装置の一例として、図９に示すような照明装置８００がある（特許文献１）。照明装置８００は、複数のＬＥＤ発光素子８２８を有する発光部８１２と、当該発光部８１２に電力を供給する電源回路８１３とを備える。発光部８１２と、電源回路８１３とは、天井等の造営材の一面に直交する方向に配置されている。
【０００３】
このような照明装置は、例えば、造営材に設置された取付部材を介して、取り付けられている。
【先行技術文献】
【特許文献】
【０００４】
【特許文献１】特開２０１１−２４３５１１号公報
【発明の概要】
【発明が解決しようとする課題】
【０００５】
天井等の造営材に取り付けられた照明装置は、圧迫感を避けるために、薄さ、すなわち、造営材の一面に直交する方向の幅が小さいことが求められる。しかし、従来の発光部と電源回路とを造営材の一面に直交する方向に配置する装置構成で薄型化を図った場合、発光部と電源回路との距離を十分に確保できない。このため、発光部で生じた熱が電源回路に伝達しやすく、電源回路の温度が高くなってしまう。電源回路において通常使われる電解コンデンサ等の熱に弱い電子部品は、高温になると急速に劣化するため、照明装置の寿命の低下につながる。
【０００６】
本発明は、上記の事情に鑑みなされたものであり、薄型かつ放熱性に優れた照明装置を提供することを目的とする。
【課題を解決するための手段】
【０００７】
上記目的を達成するため、本発明の一態様である照明装置は、発光部と、当該発光部に電力を供給する電源回路と、前記発光部と前記電源回路とを収容する筐体と、造営材の一面に設置される取付部材とを備える照明装置であって、前記電源回路は、前記発光部に対して、前記造営材の一面に沿った方向に配置され、前記筐体と前記取付部材とは、前記発光部と前記電源回路との間の領域で熱的に接続されている構成とする。
【０００８】
また、本発明の別の態様として、前記筐体は、有底筒状であり、底壁の一部に開口部が形成されている主部と、前記開口部の周縁に連続し、前記造営材側に没入している窪み部とを有し、前記窪み部の内に、前記発光部が配置され、前記主部と前記窪み部の側壁とで囲まれた領域に、前記電源回路が配置されている構成とすることもできる。
また、本発明の別の態様として、前記取付部材に前記筐体を締結する締結部材をさらに備え、前記筐体と前記取付部材との熱的な接続は、前記締結部材を介して実現されている構成とすることもできる。
【０００９】
また、本発明の別の態様として、前記締結部材は、螺子であり、前記窪み部には、前記螺子を挿通するための挿通孔が設けられている構成とすることもできる。
また、本発明の別の態様として、前記螺子の頭部は、前記筐体と前記取付部材とが締結された状態において、前記発光部の照射面より低い位置にある構成とすることもできる。
また、本発明の別の態様として、前記取付部材は板状であり、その一部が前記造営材とは反対側に突出した突出部を有し、前記突出部には、前記螺子を螺合するための雌螺子部が設けられている構成とすることもできる。
【００１０】
また、本発明の別の態様として、前記窪み部は、前記造営材とは反対側に向かって径が漸増している構成とすることもできる。
また、本発明の別の態様として、前記取付部材の外周縁には、延出片が設けられており、前記主部の側壁には、上記延出片に嵌合する溝部が設けられている構成とすることもできる。
【発明の効果】
【００１１】
本発明の一態様である照明装置によれば、発光部と電源回路とが造営材の一面に沿った方向に配置され、発光部と電源回路との間の領域で、筐体と取付部材とが熱的に接続されている。このため、発光部で生じて筐体に伝達した熱は、発光部と電源回路との間の領域で、筐体から取付部材に伝達される。そして、取付部材に伝達した熱は、造営材内に拡散される。発光部から造営材への放熱径路に電源回路が配置されていないため、発光部で生じた熱が電源回路へ伝わりにくい。
【００１２】
また、発光部と電源回路とを造営材の一面に沿った方向に配置しているため、発光部と電源回路とを造営材の一面に直交する方向に配置する構成と比較して、発光部から造営材への放熱径路が短い。このため、発光部で生じた熱を効率よく造営材に逃がすことができる。
さらに、発光部と電源回路とを造営材の一面に沿った方向に配置しているため、薄型の照明装置を提供することができる。
【図面の簡単な説明】
【００１３】
【図１】実施の形態１にかかる照明装置１の構成を示す斜視図である。
【図２】装置本体２００の裏面側の構成を示す斜視図である。
【図３】装置本体２００の分解斜視図である。
【図４】天井４００に取り付けた状態での照明装置１を示す断面図である。
【図５】発光部２１３で発生した熱の放熱経路を示す模式図である。
【図６】（ａ）は、比較例１にかかる照明装置における熱の流れを示した模式図であり、（ｂ）は、比較例２にかかる照明装置における熱の流れを示した模式図である。
【図７】実施の形態２にかかる照明装置５００を示す断面図である。
【図８】実施の形態３にかかる照明装置６００を示す断面図である。
【図９】従来技術にかかる照明装置の構成を示す断面図である。
【００１４】
［実施の形態１］
本発明の実施の形態１にかかる照明装置１について、図１から図６を用いて説明する。
＜１．  照明装置１の概略構成＞
図１に示すように、本実施の形態１にかかる照明装置１は、天井４００の一面側に全体が取り付けられる照明装置であって、取付部材１００と、装置本体２００と、カバー３００とを有する。
【００１５】
＜２．  取付部材１００の構成＞
取付部材１００は、本体部１１０と、突出部１２０ａ，１２０ｂと、延出片１３０ａ，１３０ｂとを有する。取付部材１００の材料としては、鉄、アルミニウム、セラミックス等の熱伝導性および剛性に優れた材料が好適する。
本体部１１０は、円環状であって、天井４００の配線孔４１０に対応したサイズの開口１１３が形成されている。当該開口１１３には、天井裏から配線孔４１０を介して導出された電源線４１１が挿通されている。
【００１６】
本体部１１０には、取付孔１１１ａ，１１１ｂが形成されており、当該取付孔１１１ａ，１１１ｂに螺子１１２ａ，１１２ｂを挿入し天井４００に螺子込むことにより、取付部材１００が天井４００に設置されている。
突出部１２０ａ，１２０ｂは、本体部１１０の天井４００と接していない側の面の一部が、天井４００とは反対側（以下、この方向を表側といい、表側の反対側を裏側という。）に向かって突出して形成されている。
【００１７】
突出部１２０ａ，１２０ｂには、螺子２３８ａ，２３８ｂを螺合するための雌螺子部１２１ａ，１２１ｂが形成されている。装置本体２００の窪み部２３０に形成された挿通孔２３４ａ，２３４ｂに螺子２３８ａ，２３８ｂを挿通する。そして、雌螺子部１２１ａ，１２１ｂで螺合することにより、取付部材１００に装置本体２００が固定される。
延出片１３０ａ，１３０ｂは、円弧板状であって、本体部１１０の外周縁における、開口１１３を挟んで対向する２箇所から、表側に向けて延設して形成されている。当該延出片１３０ａ，１３０ｂは、雌螺子部１２１ａ，１２１ｂと挿通孔２３４ａ，２３４ｂとの位置合わせを容易にするために設けられている。
【００１８】
図２に示すように、筐体２２０の側壁２２３の内側における、対向する２箇所には、溝部２６０ａ，２６０ｂが形成されている。溝部２６０ａの側面は、筐体２２０の側壁２２３の内側に形成されたガイド壁２６１ａ，２６１ｂにより構成されている。また、溝部２６０ｂの側面は、筐体２２０の側壁２２３の内側に形成されたガイド壁２６１ｃ，２６１ｄにより構成されている。
【００１９】
延出片１３０ａの幅と、ガイド壁２６１ａとガイド壁２６１ｂとの間隔とは、略等しく、延出片１３０ｂの幅と、ガイド壁２６１ｃとガイド壁２６１ｄとの間隔とは、略等しい。装置本体２００を取付部材１００に締結する際、溝部２６０ａに延出片１３０ａを嵌合し、溝部２６１ｂに延出片１３０ｂを嵌合する。このとき、筐体２２０の筒軸方向において、雌螺子部１２１と挿通孔２３４との位置が一致する。
【００２０】
このように、下方から目視確認しなくとも、溝部２６０ａに延出片１３０ａを嵌合し、溝部２６１ｂに延出片１３０ｂを嵌合するだけで、雌螺子部１２１と挿通孔２３４との位置合わせを行なうことができる。このため、照明装置１の施工時における作業性が向上する。
＜３．  装置本体２００の構成＞
図３に示すように、装置本体２００は、光源ユニット２１０と、筐体２２０と、電源回路２４０と、回路ケース２５０とを有する。
【００２１】
＜３．１  光源ユニット２１０＞
光源ユニット２１０は、発光モジュール２１１と、放熱シート２１４と、押え部材２１５と、保護カバー２１７とを有する。
発光モジュール２１１は、表面実装型（ＳＭＤ：Surface Mount Device）ＬＥＤであって、略矩形状の基板２１２と、当該基板２１２上に配設された発光部２１３とを有する。
【００２２】
放熱シート２１４は、シリコーン樹脂や、アルミニウム、スズ等の金属箔からなり、発光部２１３が発した熱を筐体２２０へ逃がす。
押え部材２１５は、略有底円筒状であって、その中央部には発光モジュール２１１の発光部２１３に対応したサイズの開口２１６が形成されている。当該押え部材２１５は、窪み部２３０の底壁部分２３１に螺子止めされる。この際、発光モジュール２１１の基板２１２が、押え部材２１５により、窪み部２３０の側壁部分２３１に向かって押圧され、筐体２２０に固定される。
【００２３】
保護カバー２１７は、アクリル、ポリカーボネート等の透光材料からなり、発光モジュール２１１に異物が侵入するのを防止する。
＜３．２  筐体２２０＞
筐体２２０は、主部２２１と、窪み部２３０とを有する。筐体２２０の材料としては、アルミニウムやマグネシウム等の金属材料、セラミックス、樹脂等の熱伝導性に優れた材料が好適する。
【００２４】
主部２２１は、円環状の底壁部分２２２と、当該底壁部分２２２の外周縁に裏側に向けて延設された円筒状の側壁部分２２３とを有する。底壁部分２２２の中央部には、開口部２２１ａが形成されている。また、底壁部分２２２には、その一部を裏側に向かって没入させることによって、カバー３００を収容するカバー収容部２２５が形成されている。
カバー収容部２２５は、円環状の底壁部分２２６と、当該底壁部分２２６の外周縁に表側に向けて延設された円筒状の側壁部分２２７とを有する。側壁部分２２７の内径は、カバー３００の外径より若干大きく設計されており、カバー３００を収容することができる。底壁部分２２６の外周縁における、中心を挟んで対向する２箇所には、カバー３００の係止部３１０を受ける係止受け溝２２８が形成されている。係止受け溝２２８は、幅広部２２８ａと、当該幅広部２２８ａよりも幅の狭い幅狭部２２８ｂとを有する。
【００２５】
窪み部２３０は、開口部２２１ａの周縁に連続し、裏側に向けて没入している。当該窪み部２３０は、円板状の底壁部分２３１と、円板状の底壁部分２３１の外周縁に延設されたテーパー状の側壁部分２３２とを有する。底壁部分２３１には、その中央部を表側に向けて突出させることによって、発光モジュール２１１を載置するための載置面２３３が形成されている。また、底壁部分２３１の外周縁部には、螺子２３８ａ，２３８ｂ（図１を参照。）を挿通するための挿通孔２３４ａ，２３４ｂが形成されている。側壁部分２３２は、表側に向かって径が漸増しており、発光部２１３の出射光を反射する反射板としての機能を果たす。これにより、カバー３００における発光面積を広げることができる。
【００２６】
＜３．３  電源回路２４０＞
電源回路２４０は、外部電源から供給される交流を整流平滑し、発光部２１３に電力を供給する。当該電源回路２４０は、回路基板２４１と、当該回路基板２４１に実装された回路部品２４２と、回路基板２４１に接続された配線２４３と、端子台２４４とを有する。端子台２４４の接続孔２４５に、天井裏から配線孔４１０を通じて出された電源線４１１（図１を参照。）を差し込むことにより、外部電源と電気的に接続される。
【００２７】
＜３．４  電源回路カバー２５０＞
電源回路カバー２５０は、熱伝導性の高い絶縁材料からなり、電源回路２４０を収容する。当該回路ケース２５０は、螺子止めにより、筐体２２０の主部２２１と窪み部２３０の側壁２３２とで囲まれた領域で、筐体２２０に固定されている（図２を参照。）。
＜４．  カバー３００の構成＞
図２に戻って、カバー３００は円板状の本体部３１０と、当該本体部３１０の外周縁に延設された係止部３２０とを有する。カバー３００の材料としては、例えば、アクリル、ポリカーボネート、ガラス等の透光材料が好適する。
【００２８】
カバー３００の係止部３２０を、幅広部２２８ａに挿入し回動させると、係止部３１０が、幅狭部２２８ｂの外周部に係止される。これにより、カバー３００が筐体２２０に固定される。
カバー３００で筐体２２０を覆うことにより、螺子２３８ａ，２３８ｂや、挿通孔２３４ａ，２３４ｂ等を隠すことができる。
【００２９】
＜５．  天井４００に取り付けた状態での照明装置１＞
天井４００に取り付けた状態での照明装置１について、図４を用いて説明する。
図４に示すように、発光部２１３は、窪み部２３０の底壁部分２３１に配置され、電源回路２４０は、主部２２１と窪み部２３０の側壁２３２とで囲まれた領域に配置されている。すなわち、発光部２１３と、電源回路２４０とは、天井４００の一面に沿った方向に並んで配置されている。
【００３０】
そして、挿通孔２３４ａ，２３４ｂは、窪み部２３０の底壁部分２３１の外周縁部に、形成されている。すなわち、挿通孔２３４ａ，２３４ｂは、天井４００の一面に沿った方向に並んで配置された発光部２１３と電源回路２４０との間に位置している。この挿通孔２３４ａ，２３４ｂの位置で、筐体２２０と取付部材１００とが、螺子２３８ａ，２３８ｂにより締結されている。
【００３１】
ここで、底壁部分２３１の裏側の面２３１ａと、突出部１２０ａ，１２０ｂの頂上部分１２２ａ，１２２ｂとは、互いに平面形状である。螺子２３８ａ，２３８ｂで締結した際、面２３１ａと、頂上部分１２２ａ，１２２ｂとが圧接される。従って、面２３１ａと、頂上部分１２２ａ，１２２ｂとは隙間なく面接触している。
挿通孔２３４ａ，２３４ｂは、発光部２１３が配置されている窪み部２３０内に形成されているため、発光部２１３の近くに螺子２３８ａ，２３８ｂが配置される。このため、発光部２１３から天井４００への放熱経路が短く、発光部２１３で生じた熱を効率よく天井４００に逃がすことができる。
【００３２】
図４において、符号Ｗ１は、天井４００から発光部２１３の照射面までの高さを示す。また、符号Ｗ２は、天井４００から螺子２３８ａ，２３８ｂの頭部までの高さを示す。ここで、高さＷ２は高さＷ１より小さく、螺子２３８ａ，２３８ｂの頭部は、発光部２１３の照射面より低い位置にある。このため、窪み部２３０内に配置された螺子２３８ａ，２３８ｂが、同じ窪み２３０内に配置された発光部２１３の出射光を遮らない。
【００３３】
＜６．  点灯時における発光部２１３の熱＞
点灯時における発光部２１３の熱の流れについて、図５および図６を用いて説明する。
図５に示すように、点灯時に発光部２１３から発生した熱は、放熱シート２１４を通じて、窪み部２３０の底壁２３１に伝達し（熱の流れＦT1）、底壁２３１内に広がる（熱の流れＦT2）。底壁２３１に広がった熱は、螺子２３８ｂを通じて（熱の流れＦT3）、取付部材１００の突出部１２０ａ，１２０ｂに伝達する（熱の流れＦT4）。突出部１２０ａ，１２０ｂに伝達した熱は、取付部材１００の本体部１１０から天井４００の板内に拡散される（熱の流れＦT5）。天井４００の体積は、照明装置１に比べて大きく、熱容量も大きいため、点灯時に発光部２１３から発した熱を、天井４００へと拡散し放熱することができる。
【００３４】
螺子２３８ａ、２３８ｂを、挿通孔２３４ａ，２３４ｂに挿通し、雌螺子部１２１ａ，１２１ｂで螺合することにより、窪み部２３０の底壁２３１と、取付部材１００の突出部１２０とは密着し、熱的に接続されている。発光部２１３から天井４００への放熱経路に電源回路２４０が配置されていないため、発光部２１３で生じた熱が電源回路２４０へ伝達しにくい。従って、電源回路２４０を構成する回路部品について、耐熱グレードが高い部品を必ずしも使用する必要がなく、製造コストの低減を図ることができる。
【００３５】
また、発光部２１３と電源回路２４０とを天井４００の一面に沿った方向に配置し、かつ、発光部２１３付近で、筐体２２０と取付部材１００とが熱的に接続されているため、発光部２１３から天井４００への放熱経路が短い。このため、発光部２１３で生じた熱を効率よく天井４００に逃がすことができる。
なお、発光部２１３と電源回路２４０との間に、挿通孔２３４ａ，２３４ｂが形成されているため、発光部２１３と電源回路２４０との間に空間２３９が形成されている。発光部２１３と電源回路２４０とが隣接せず、その間に空間２３９存在するため、発光部２１３から、電源回路２４０への熱の伝達が遮断されている。また、螺子２３８ａ，２３８ｂに伝達した熱は、突出部１２０ａ，１２０ｂに伝達する（熱の流れＦT4）以外に、この空間２３９にも放熱される（熱の流れＦT6）。
【００３６】
さらに、図６を用いて、発光部と、電源回路と、筐体と取付部材との締結位置との違いによる熱の流れについて考察する。
図６（ａ）に示すように、比較例１は、電源回路１２４０の外側の領域で筐体１２２０と取付部材１１００とを締結した照明装置の例である。この場合、筐体１２２０と取付部材１１００とが、電源回路１２４０の外側の領域で、螺子１２３８ａ，１２３８ｂを介して熱的に接続されている。電源回路１２４０は、発光部１２１３から天井４００への放熱経路上に配置されている。このため、発光部１２１３で生じた熱が天井４００に逃げる際、その熱が電源回路１２４０に伝わり、電源回路１２４０の温度が高くなってしまう。
【００３７】
また、筐体１２２０と取付部材１１００とが熱的に接続された位置が発光部１２１３から遠く、発光部１２１３から天井４００への放熱経路が長いため、発光部１２１３で生じた熱を効率よく天井４００に逃がすことができない。
図６（ｂ）に示すように、比較例２は、発光部２２１３と電源回路２２４０とを天井４００に直交する方向に配置した照明装置の例である。この場合、発光部２２１３から生じた熱が裏側に配置された電源回路２２４０に伝わってしまい、電源回路２２４０の温度が高くなってしまう。
【００３８】
また、筐体２２２０と取付部材２１００とが熱的に接続された位置が発光部２２１３から遠く、発光部２２１３から天井４００への放熱経路が長いため、発光部で生じた熱を効率よく天井に逃がすことができない。加えて、発光部２２１３と天井４００との間に電源回路２２４０を配置するための領域を設けるため、照明装置の厚みが大きくなってしまい、薄型化の観点から好ましくない。
【００３９】
これに対して、本実施の形態にかかる照明装置１では、既に説明したとおり、比較例１と比較して、放熱性に優れており、比較例２と比較して、薄型、かつ、放熱性に優れている。
［実施の形態２］
本発明の実施の形態２にかかる照明装置５００について、図７を用いて説明する。なお、本実施の形態では、発光部と電源回路との配置関係、および筐体の形状が、実施の形態１と異なる点である。他の構成については、実施の形態１と同様であるので、実施の形態１と共通する部材には、同一の符号を付し、以下での説明を省略する。
【００４０】
図７に示すように、本実施の形態にかかる照明装置５００において、筐体５２０は、筒状の側壁部５２５と、当該側壁部５２５の内側に形成された窪み部５３０と、当該窪み部５３０の中央部に形成された突出部５３５とを有する。
窪み部５３０は、円環状の底壁部分５３１と、当該底壁部分５３１の外周縁に表側に向けて延設されたテーパー状の側壁部分５３２とを有する。底壁部分５３１の外周縁部には、環状に複数の光源ユニット５１０が配置されている。また、底壁部分５３１の内周縁部には螺子２３８ａ，２３８ｂを挿通するための挿通孔５３４ａ，５３４ｂが形成されている。側壁部分５３２は、表側に向かって径が漸増しており、光源ユニット５１０の発光部５１３の出射光を反射する反射板としての機能を果たす。これにより、カバー３００における発光面積を広げることができる。
【００４１】
突出部５３５は、円板状の天板部分５３６と、当該円板状の天板部分５３６の外周縁に裏側に向けて延設された側壁部分５３７とを有する。回路ケース５５０は、螺子止めにより、突出部５３５の天板部分５３６と側壁部分５３７とに囲まれた領域で、筐体５２０に固定されている。当該回路ケース５５０内に、発光部５１３に電力を供給する電源回路５４０が収容されている。
【００４２】
このように、実施の形態２にかかる照明装置５００では、電源回路５４０を中央部に配置し、その周りに複数の光源ユニット５１０を環状に配置している。光源ユニット５１０を複数個配置しているため、光量を高めることができる。
また、電源回路５４０と発光部５１３とは、天井４００の一面に沿った方向に配置され、電源回路５４０と発光部５１３との間の領域で、筐体５２０と取付部材１００とが熱的に接続されている。このため、実施の形態１にかかる照明装置１と同様の放熱効果を得ることができる。
【００４３】
［実施の形態３］
本発明の実施の形態３にかかる照明装置６００について、図８を用いて説明する。なお、本実施の形態では、筐体と取付部材との締結位置、取付部材の形状、および筐体の形状が実施の形態１と異なる点である。他の構成については、実施の形態１と同様であるので、実施の形態１と共通する部材には、同一の符号を付し、以下での説明を省略する。
【００４４】
図８に示すように、本実施の形態にかかる照明装置６００において、筐体６２０は、主部２２１と、窪み部２３０と、主部２２１の外周部に設けられた副部６４０とを有する。
副部６４０は、円環状の底壁部分６４１と、当該底壁部分６４１の外周縁に裏側に向かって延設された円筒状の側壁部分６４２とを有する。底壁部分６４１には、螺子６３８ａ，６３８ｂを挿通するための挿通孔６３４ａ，６３４ｂが形成されている。
【００４５】
取付部材７００は、円環状の本体部７１０と、突出部７２０ａ，７２０ｂと、放熱部７３０とを有する。
突出部７２０ａ，７２０ｂは、本体部７１０の外周縁部の一部が、本体部７１０の天井４００と接していない側の面から表側に向かって突出して形成されている。当該突出部７２０ａ，７２０ｂには、螺子６３８ａ，６３８ｂを螺合するための雌螺子部７２１ａ，７２１ｂが形成されている。
【００４６】
放熱部７３０は、円錐台状であり、本体部７１０の中央部の一部が、本体部７１０の天井４００と接していない側の面から表側に向かって突出して形成されている。
照明装置６００は、挿通孔６３４ａ，６３４ｂに、螺子６３８ａ，６３８ｂを挿通し、雌螺子部７２１ａ，７２１ｂで螺合することにより、天井４００に取り付けられる。この際、放熱部材７３０の面７３１は、窪み部２３０の底壁部分２３１の裏側の面２３１ａにより押圧される。これにより、放熱部材７３０の面７３１と、底壁部分２３１の裏側の面２３１ａとが密着し、熱的に接続される。
【００４７】
発光部２１３と電源回路２４０とは、天井４００の一面に沿った方向に配置されている。また、発光部２１３と電源回路２４０との間の領域で、筐体６２０と取付部材７００とが熱的に接続されている。従って、実施の形態１にかかる照明装置１と同様の放熱効果を得ることができる。
また、放熱部材７３０の面７３１と、底壁部分２３１の裏側の面２３１ａとの接触面からだけでなく、螺子６３８ａ，６３８ｂによる締結部分からも天井４００側に放熱される。これにより、より高い放熱効果を得ることができる。
【００４８】
なお、放熱部材７３０の面７３１と、底壁部分２３１の裏側の面２３１ａとの間にシリコングリス等を塗布してもよい。また、放熱部材７３０の面７３１と、底壁部分２３１の裏側の面２３１ａとの間に、シリコーンシート等を挿入してもよい。これにより、放熱効果を高めることができる。
［変形例］
なお、上記の実施の形態に基づいて説明してきたが、本発明は上記の実施の形態に限定されないことはもちろんである。以下のような場合も本発明に含まれる。
【００４９】
（ａ）上記の実施の形態１では、発光部２１３と電源回路２４０との間の領域での、筐体２２０と取付部材１００との熱的な接続が、締結部材２３８を介して実現されている例を示したが、本発明は必ずしもこの場合に限定されない。筐体と取付部材との熱的な接続は、このような締結部材を介するものに限られない。実施の形態３のように、照明装置６００を天井４００に取り付けた際、発光部２１３と電源回路２４０との間の領域で、筐体６２０と取付部材７００とが押圧され密着することにより、熱的に接続されるものであってもよい。
【００５０】
（ｂ）上記の実施の形態において、取付部材１００に突出部１２０が２つ形成されている場合を示したが、本発明は必ずしもこの場合に限定されない。突出部１２０の数は任意であり、例えば、取付部材１００に突出部１００を３つ形成する構成としてもよい。また、筐体２２０と取付部材１００とを締結する螺子２３８の数、および螺子２３８を挿通するための挿通孔２３４の数も、突出部１２０の数に応じて任意である。
【００５１】
螺子２３８、突出部１２０、および挿通孔２３４の数を増やすことにより、発光部２１３で生じた熱の放熱経路が増え、より熱を天井４００に逃がすことができる。
（ｃ）上記の実施の形態において、螺子２３８を用いて、筐体２２０と取付部材１００とを締結する場合を説明したが、本発明は必ずしもこの場合に限定されない。螺子、ボルト、ナット、リベット、ピン等の締結部材を用いて、筐体２２０と取付部材１００とを締結するものであればよい。
【００５２】
（ｄ）上記の実施の形態において、天井４００に照明装置１を取り付ける場合を説明したが、本発明は必ずしもこの場合に限定されない。天井や壁面等の造営材に取り付ける照明装置であればよい。
（ｅ）上記の実施の形態において、取付部材１００が円形状である場合を示したが、本発明は必ずしもこの場合に限定されない。取付部材１００は、例えば、四角形状、六角形状、八角形状等のような多角形の板状であってもよい。
【００５３】
（ｆ）上記の実施の形態において、筐体２２０を覆うカバー３００は透光性の材料から構成される場合を説明したが、本発明は必ずしもこの場合に限定されない。筐体２２０を覆うカバー３００は、光拡散機能を持つものであってもよい。発光部２１３から出射された光は、カバー３００を透過する際に散乱光となる。このような光拡散機能により、輝度むらが軽減される。
【００５４】
なお、カバー３００は必須の要件ではなく、省略することも可能である。
（ｇ）上記の実施の形態において、半導体発光素子の一例としてＬＥＤ素子を採用したが、本発明は必ずしもこれに限定されない。例えば、無機ＥＬ素子や有機ＥＬ素子、ＬＤ（Ｌａｓｅｒ  Ｄｉｏｄｅ）、発光トランジスタ（Ｌｉｇｈｔ  Ｅｍｉｔｔｉｎｇ  Ｔｒａｎｓｉｓｔｏｒ）などを採用することもできる。
【００５５】
（ｈ）上記の実施の形態において、筐体２２０が円形状である場合を示したが、本発明は必ずしもこの場合に限定されない。筐体２２０は、例えば、四角形状、六角形状、八角形状等のような多角形の板状であってもよい。
（ｉ）上述の実施の形態および各変形例を、部分的に組み合せてもよい。
【符号の説明】
【００５６】
１，５００，６００  照明装置
１００，７００  取付部材
１２０ａ，１２０ｂ，７２０ａ，７２０ｂ  突出部
１２１ａ，１２１ｂ，７２１ａ，７２１ｂ  雌螺子部
１３０ａ，１３０ｂ  延出片
２００  装置本体
２１０  光源ユニット
２１１  発光モジュール
２１３，５１３  発光部
２２０，５２０，６２０  筐体
２２１  主部
２３０  窪み部
２３４ａ，２３４ｂ，５３４ａ，５３４ｂ，６３４ａ，６３４ｂ  挿通孔
２３８ａ，２３８ｂ，６３８ａ，６３８ｂ  螺子
２４０  電源回路
２５０  回路ケース
２６０ａ，２６０ｂ  ガイド壁
２６１ａ，２６１ｂ  溝部
３００  カバー
４００  天井（造営材）
【図１】
2014149946.tif 000003
【図２】
2014149946.tif 000004
【図３】
2014149946.tif 000005
【図４】
2014149946.tif 000006
【図５】
2014149946.tif 000007
【図６】
2014149946.tif 000008
【図７】
2014149946.tif 000009
【図８】
2014149946.tif 000010
【図９】
2014149946.tif 000011